(57)【要約】      （修正有）【課題】挿入する穴を選択することにより、回転タイプとしても非回転タイプとしても使用可能であり、省スペース化を向上した被固定部材と保持具との組合せ構造を提供する。【解決手段】シャーシ１００に形成された穴１０１は、平面視で円に内接し、対向配置された円弧部１０３及び１０４と、円弧部１０３及び１０４の近接する端同士を結ぶ弦の一部を構成する係止面を有する係止部及びを備え、保持具１は、部品を保持する保持部１０と、保持部１０を支持し且つ穴１０１に挿入されてシャーシ１００に取付けられる取付部を備え、取付部は、円弧部１０３及び１０４と相補した形状を有し且つシャーシ１００に取付けられた際に円弧部１０３及び１０４を押圧する湾曲面５５Ａ及び５５Ｂと、シャーシ１００に取付けられた際に係止面に当接する当接面５６、５８を有している。【選択図】図１３
2010209997.tif 000002
【特許請求の範囲】
【請求項１】
取付用の穴が形成された被固定部材と、前記取付用の穴に挿入され、当該被固定部材に取付けられる保持具との組合せ構造であって、
前記取付用の穴は、平面視で、円に内接する形状を有し、前記円の円弧を構成し且つ互いに対向配置された一対の円弧部と、当該一対の円弧部の近接する端同士を結んで形成される前記円の弦の少なくとも一部を構成する係止面を有する一対の係止部と、を備え、
前記保持具は、部品を保持する保持部と、当該保持部を支持すると共に、前記取付用の穴に挿入されて前記被固定部材に取付けられる取付部と、を備え、
前記取付部は、前記円弧部と相補した形状を有し且つ前記被固定部材に取付けられた際に当該円弧部を各々押圧する湾曲面と、前記被固定部材に取付けられた際に前記係止面に各々当接する当接面と、を有してなる、
被固定部材と保持具との組合せ構造。
【請求項２】
前記取付部は、前記保持部から延出した支柱と、当該支柱の延出方向先端に互いに対向配置され且つ当該延出方向先端から前記保持部に向けて延出された一対の脚部と、を有し、
前記脚部の自由端の外周面に前記湾曲面を形成し、
前記脚部の外周面の周方向両端から前記支柱側に向けて連続形成された互いに平行な各々の面に、前記当接面を形成してなる請求項１記載の被固定部材と保持具との組合せ構造。
【請求項３】
前記脚部の前記支柱側であり且つ少なくとも延出基端側は、当該支柱の延出方向と略平行に形成され、
前記脚部の外側は、当該脚部の延出基端から自由端に向けて斜め外方に延出してなる請求項２記載の被固定部材と保持具との組合せ構造。
【請求項４】
前記脚部は、前記支柱に近づく方向に弾性変形することにより、前記取付用の穴に挿入され、弾性復元することにより当該脚部を前記被固定部材に係合させ、
前記支柱は、前記脚部の自由端と対向する部分の当該対向方向の肉厚が、前記脚部の延出基端側と対向する部分の当該対向方向の肉厚よりも薄く形成されてなる請求項２または請求項３記載の被固定部材と保持具との組合せ構造。
【請求項５】
前記脚部は、前記支柱に近づく方向に弾性変形することにより、前記取付用の穴に挿入され、弾性復元することにより当該脚部を前記被固定部材に係合させ、
前記支柱の延出方向先端は、前記脚部の対向方向の肉厚が、他の部分の当該対向方向の肉厚よりも厚く形成されてなる請求項２ないし請求項４のいずれか一項に記載の被固定部材と保持具との組合せ構造。
【請求項６】
前記取付用の穴は、平面視で、前記円の弦の略中央部分が、当該円の中心から外側に向けた凹部となっており、
前記支柱は、前記脚部が形成されている位置と略９０度ずれた位置にある両端部が、当該脚部よりも外側に突出した凸部を構成し、前記被固定部材に保持具を取付ける際に、前記凹部に前記凸部が挿入される請求項２ないし請求項５のいずれか一項に記載の被固定部材と保持具との組合せ構造。
【請求項７】
前記保持部は、前記取付部に固定されたベースと、当該ベースの一端から連続的に立設された立設部と、当該立設部の先端に連続的に形成され且つ前記ベースに対向配置されたベース対向部と、前記ベースの他端に連続的に形成され且つ当該ベースに対し屈曲し、前記立設部に対向して立設可能となる立設対向部と、前記ベース対向部の先端に形成された第１の係合部と、前記立設対向部の自由端に形成され且つ前記第１の係合部と着脱可能に係合する第２の係合部と、を有し、
前記保持部は、前記立設対向部を屈曲させて前記第１の係合部と第２の係合部を係合させた際に、保持した部品が貫通する貫通穴を画定する略四角形の環状体となり、前記第１の係合部と第２の係合部との係合が解除された際に、当該第１の係合部と第２の係合部との間に形成された空間から前記部品を挿脱可能であり、
前記ベースと立設部とにより形成される角部の外面と、前記立設部とベース対向部とにより形成される角部の外面の少なくとも一方に、外側に向けて突出したリブを形成してなる請求項１ないし請求項６のいずれか一項に記載の被固定部材と保持具との組合せ構造。
【請求項８】
前記立設対向部の前記第２の係合部側端部の外面に、内側に向けて傾斜したテーパ面を形成してなる請求項７記載の被固定部材と保持具との組合せ構造。
【発明の詳細な説明】
【技術分野】
【０００１】
本発明は、電線等の電気部品、あるいはその他の部品を保持し、各種電子・電気機器や各種機械等のハウジング、その内部に配設されているシャーシ及びパネル等の被固定部材と、部品を保持し且つこの被固定部材に取付けられる保持具との組合せ構造に関する。
【背景技術】
【０００２】
従来から、様々な機器類、特に電気・電子機器類の内部には、様々な部品や電線等の長尺な部品が多数配されている。これらの長尺な部品は、電気機器類の通常動作の際に、他の部品に当たり擦れて傷ついたり、外れたりすることを防止する必要がある。そこで、これらの長尺な部品体を整理して束ね、電気機器類の筐体の内壁や基板等の対象物に留め付けるための保持具が各種紹介されている。
【０００３】
このような保持具には、被固定部材（例えば、ハウジング、シャーシ、パネル等）に対し、回転可能に取付けられるタイプと、回転せずに固定されるタイプがあり、ユーザは、保持すべき部品に応じて、いずれかのタイプを選択して使用している。例えば、電線を保持して被固定部材に取付ける場合、この保持具が被固定部材に対し回転すると、保持されている電線が当該回転によって他の部品にぶつかる等の不具合が生じる可能性があるため、被固定部材に対し回転せずに固定される非回転タイプの保持具が通常使用されている。
【０００４】
非回転タイプの保持具としては、例えば、パネルに設けた挿入口を貫通し、当該パネルの第１の面及び第２の面を押圧することにより前記パネルに結合される一対の押圧体と、この押圧体と結合し、所定の束を収納する収納体と、当該収納体の一方の先端を折曲部として回動可能に結合した回動体と、当該回動体の先端の所定幅に設けた第１の凸部及び第１の凹部と、前記収納体の他方の先端と結合し、前記第１の凸部と嵌合する第２の凹部、前記第１の凹部と嵌合する第２の凸部をその先端の所定幅に設けた嵌合体と、を備えた結束装置が紹介されている。（例えば、特許文献１参照）。
【０００５】
また、基板上面の一端側から先端部が内方に折曲し且つ内壁面に押圧片部を有する湾曲壁部を立設すると共に、他端側に当該湾曲壁部の折曲先端部と共動してハーネスの挿脱口を形成する折曲片を上方に延設し、前記基板下面にパネルの係止穴に係着する弾性変形可能な脚部を垂設してなり、前記湾曲壁部の折曲先端部内側にロック爪を形成すると共に、折曲先端部外側に突起部を形成し、前記基板の他端側下面縁部に前記折曲先端部内側のロック爪を係合する係止凹部を形成し、且つ前記基板の両側に張り出す肩部を延設したハーネス保持クリップも紹介されている。（例えば、特許文献２参照）。
【０００６】
そしてまた、電気部品等を保持する保持部と、当該保持部を被固定部材に固定する固定部と、を備え、前記保持部の自由端には保持部から一続きに形成された、互いに着脱自在に嵌合する一対の引っ掛け部を備えた係止機構を設けてあり、この係止機構の嵌合が、保持する電気部品の長手方向に力がかかった場合や、電気部品保持具本体にねじれ方向の力がかかった場合に、容易に外れない手段を設けた保持具も紹介されている。（例えば、特許文献３参照）。
【先行技術文献】
【特許文献】
【０００７】
【特許文献１】実開昭６１−４６７８０号公報
【特許文献２】実開昭６１−７４２１９号公報
【特許文献３】特開２００５−１３５９８０号公報
【発明の概要】
【発明が解決しようとする課題】
【０００８】
しかしながら、特許文献１〜３に記載されているような非回転タイプの保持具は、回転タイプの保持具を被固定部材に取付けるために形成されている丸穴を利用して当該被固定部材に取付けることができず、１種類の保持具で回転タイプと非回転タイプを両用することはできなかった。また、特許文献１〜３に記載されている保持具は、被固定部材に形成された取付用の穴を貫通して被固定部材の裏面に突出する部分が大きく、省スペース化を向上することが困難であった。
【０００９】
本発明は、このような事情に鑑みなされたものであり、非回転タイプの保持具を取付けるために被固定部材に形成されている取付用の穴と、回転タイプの保持具を取付けるために被固定部材に形成されている丸穴のいずれの穴にも適応可能であり、被固定部材に取付ける際に挿入する穴を選択することにより、回転タイプとしても非回転タイプとしても使用可能であると共に、省スペース化を向上した被固定部材と保持具との組合せ構造を提供することを目的とする。
【課題を解決するための手段】
【００１０】
この目的を達成するため本発明は、取付用の穴が形成された被固定部材と、前記取付用の穴に挿入され、当該被固定部材に取付けられる保持具との組合せ構造であって、前記取付用の穴は、平面視で円に内接する形状を有し、前記円の円弧を構成し且つ互いに対向配置された一対の円弧部と、当該一対の円弧部の近接する端同士を結んで形成される前記円の弦の少なくとも一部を構成する係止面を有する一対の係止部と、を備え、前記保持具は、部品を保持する保持部と、当該保持部を支持すると共に、前記取付用の穴に挿入されて前記被固定部材に取付けられる取付部と、を備え、前記取付部は、前記円弧部と相補した形状を有し且つ前記被固定部材に取付けられた際に当該円弧部を各々押圧する湾曲面と、前記被固定部材に取付けられた際に前記係止面に各々当接する当接面と、を有してなる被固定部材と保持具との組合せ構造を提供するものである。
【００１１】
この構成を備えた被固定部材と保持具との組合せ構造は、前記被固定部材に取付けられた際に、当該取付部の湾曲面が前記取付用の穴を画定する円弧部を押圧し、且つ当該取付部の当接面が、前記取付用の穴を画定する係止面に当接することで、被固定部材に対し回転しない状態（非回転）で保持具を取付けることができる。また、前記取付用の穴は、平面視で円に内接する形状を有しており、前記円弧部は、平面視で円の円弧を構成しているため、この円からなる取付用の丸穴に前記取付部を挿入することが可能であり、当該取付部を丸穴に挿入して前記被固定部材に保持具を取付けた際には、当該取付部の湾曲面が当該丸穴を画定する被固定部材の縁を押圧することになる。したがって、本発明に係る保持具は、前記丸穴に挿入した場合には、被固定部材に対し回転可能且つ安定した状態で取付けることもできる。
【００１２】
本発明に係る被固定部材と保持具との組合せ構造の一実施態様としては、例えば、前記取付部が、前記保持部から延出した支柱と、当該支柱の延出方向先端に互いに対向配置され且つ当該延出方向先端から前記保持部に向けて延出された一対の脚部とを有し、前記脚部の自由端の外周面に前記湾曲面を形成し、前記脚部の外周面の周方向両端から前記支柱側に向けて連続形成された互いに平行な各々の面に前記当接面を形成した構成を備えることができる。
【００１３】
また、この構成の場合、前記脚部の前記支柱側（内側）であり且つ少なくとも延出基端側を当該支柱の延出方向と略平行に形成し、前記脚部の外側が当該脚部の延出基端から自由端に向けて斜め外方に延出した構成とすることができる。このように、前記脚部の前記支柱側且つ少なくとも延出基端側を支柱の延出方向と略平行に形成することで、前記脚部の外側と同様に斜めに形成する場合に比べ、前記当接面の面積を大きくすることができる。したがって、前記利点に加え、保持具を被固定部材に対し、より確実に非回転で取付けることができる。また、前記脚部の外側を延出基端から自由端に向けて斜め外方に延出させることで、前記取付用の穴に取付部をよりスムーズに挿入させることができる。
【００１４】
そしてまた、本発明に係る被固定部材と保持具との組合せ構造では、前記脚部が前記支柱に近づく方向に弾性変形することにより前記取付用の穴に挿入され、弾性復元することにより前記被固定部材に係合し、前記支柱は、前記脚部の自由端と対向する部分の当該対向方向の肉厚が、前記脚部の延出基端側と対向する部分の当該対向方向の肉厚よりも薄くなるように構成することができる。このように構成することで、前記支柱と前記脚部の自由端との間の距離を、前記肉厚を薄くした分、長くとることができるため、前記取付用の穴に前記取付部を挿入した際に、前記脚部が支柱に近づく方向に弾性変形しても、当該脚部の自由端が支柱にぶつかることを抑制することができ、前記脚部の弾性変形が妨げられることを防止することができる。したがって、前記利点に加え、前記取付用の穴に取付部をさらにスムーズに挿入させることができる。
【００１５】
さらにまた、本発明に係る被固定部材と保持具との組合せ構造では、前記脚部が前記支柱に近づく方向に弾性変形することにより前記取付用の穴に挿入され、弾性復元することにより前記被固定部材に係合し、前記支柱の延出方向先端は、前記脚部の対向方向の肉厚が、他の部分の当該対向方向の肉厚よりも厚くなるように構成することができる。このように構成することで、支柱の肉厚が均一な場合に比べ、前記脚部の延出基端を外側にずらすことができるため、前記脚部の長さを短くしても、前記被固定部材に前記脚部を係合させることができる。したがって、前記利点に加え、前記保持具の被固定部材の裏面から飛び出す部分（飛び出し量）を小さくすることができ、省スペース化を達成させることができる。
【００１６】
また、本発明に係る被固定部材と保持具との組合せ構造では、前記取付用の穴は、平面視で、前記円の弦の略中央部分が、当該円の中心から外側に向けた凹部となっており、前記支柱は、前記脚部の対向方向と略垂直な方向の両端部が、当該脚部よりも外側に突出した凸部を構成し、前記被固定部材に保持具を取付ける際に、前記凹部に前記凸部が挿入されるよう構成することもできる。このように前記凹部に前記凸部が挿入されることで、被固定部材に対する保持具の回転をさらに確実に阻止することができることに加え、前記取付部を取付用の穴に挿入する際に、前記凹部にキー溝としての役割を持たせ、前記凸部にキーとしての役割を持たせることができる。したがって、前記利点に加え、前記取付部を取付用の穴に挿入する際の位置合せを簡単に行うことができる。
【００１７】
そしてまた、本発明に係る被固定部材と保持具との組合せ構造では、前記保持部が、前記取付部に固定されたベースと、当該ベースの一端から連続的に立設された立設部と、当該立設部の先端に連続的に形成され且つ前記ベースに対向配置されたベース対向部と、前記ベースの他端に連続的に形成され且つ当該ベースに対し屈曲し、前記立設部に対向して立設可能となる立設対向部と、前記ベース対向部の先端に形成された第１の係合部と、前記立設対向部の自由端に形成され且つ前記第１の係合部と着脱可能に係合する第２の係合部とを有し、前記保持部は、前記立設対向部を屈曲させて前記第１の係合部と第２の係合部を係合させた際に、保持した部品が貫通する貫通穴を画定する略四角形の環状体となり、前記第１の係合部と第２の係合部との係合が解除された際に、当該第１の係合部と第２の係合部との間に形成された空間から前記部品を挿脱可能であり、前記ベースと立設部とにより形成される角部の外面と、前記立設部とベース対向部とにより形成される角部の外面の少なくとも一方に、外側に向けて突出したリブを形成した構成とすることもできる。
【００１８】
このように構成することで、被固定部材の表面に対し略平行な方向から前記部品を挿入して保持させることができるため、前記利点に加え、当該被固定部材の表面に対し略垂直な方向のスペースが小さい（狭い）場所であっても、保持部に部品を簡単に保持させることができる。また、前記角部の外面にリブを形成することで、当該角部の剛性を向上させることができるため、第１の係合部に第２の係合部を係合（ロック）させる際に、前記立設部が倒れる方向に力が加えられても、当該保持部が不用意に変形したり倒れたりすることを防止することができる。
【００１９】
さらにまた、本発明に係る被固定部材と保持具との組合せ構造では、前記立設対向部の前記第２の係合部側端部の外面に、内側に向けて傾斜したテーパ面を形成することもできる。このように構成することで、第１の係合部に第２の係合部を係合（ロック）させる際に、前記テーパ面を指当て部として、ここに指を添えて力を加えることができるため、前記利点に加え、前記係合をさらに容易に行うことができる。
【発明の効果】
【００２０】
本発明によれば、非回転タイプの保持具を取付けるために被固定部材に形成されている取付用の穴と、回転タイプの保持具を取付けるために被固定部材に形成されている丸穴のいずれの穴にも適応可能であり、被固定部材に取付ける際に挿入する穴を選択することにより、回転タイプとしても非回転タイプとしても使用可能であると共に、省スペース化を向上した被固定部材と保持具との組合せ構造を提供することができる。
【図面の簡単な説明】
【００２１】
【図１】本発明の実施例１に係る保持具を保持部側から見た斜視図である。
【図２】図１に示す保持具を取付部側から見た斜視図である。
【図３】図２に示す保持具を違った角度から見た斜視図である。
【図４】図１に示す保持具の正面図である。
【図５】図１に示す保持具の背面図である。
【図６】図１に示す保持具の右側面図である。
【図７】図１に示す保持具の左側面図である。
【図８】図１に示す保持具の平面図である。
【図９】図１に示す保持具の底面図である。
【図１０】図４に示すＸ−Ｘ線に沿った断面図である。
【図１１】図４に示す保持具の取付部の一部を拡大して示す正面図である。
【図１２】図１１に示すXII−XII線に沿った断面図である。
【図１３】図４に示す保持具を被取付部材（シャーシ）に形成された取付用の穴に挿入する状態を示す一部断面図である。
【図１４】図４に示す保持具を被取付部材（シャーシ）に取付けた状態を示す一部断面図である。
【図１５】図１３に示す被取付部材（シャーシの平面図である。
【図１６】本発明の他の実施例に係る保持具の背面図である。
【図１７】本発明の実施例２に係る保持具からベルトを取除いた状態を保持部側から見た斜視図である。
【図１８】図１７に示す保持具を取付部側から見た斜視図である。
【図１９】図１８に示す保持具を違った角度から見た斜視図である。
【図２０】図１７に示す保持具の正面図である。
【図２１】図１７に示す保持具の背面図である。
【図２２】図１７に示す保持具の右側面図である。
【図２３】図１７に示す保持具の左側面図である。
【図２４】図１７に示す保持具の平面図である。
【図２５】図１７に示す保持具の底面図である。
【図２６】図２０に示すXXVI−XXVI線に沿った断面図である。
【図２７】図２０に示す保持具の取付部の一部を拡大して示す正面図である。
【図２８】図２７に示すXXVIII−XXVIII線に沿った断面図である。
【図２９】図２０に示す保持具を被取付部材（シャーシ）に取付けた状態を示す一部断面図である。
【図３０】図２０に示す保持具にベルトを取付けて、当該ベルトに電線を保持させた状態を示す一部断面図である。
【図３１】図３０に示すXXXI−XXXI線に沿った断面図である。
【発明を実施するための形態】
【実施例１】
【００２２】
次に、本発明の実施例１に係る保持具と、当該保持具が取付けられる被固定部材としてのシャーシについて図面を参照して説明する。なお、以下に記載される実施例は、本発明を説明するための例示であり、本発明をこれらの実施例にのみ限定するものではない。したがって、本発明は、その要旨を逸脱しない限り、様々な形態で実施することができる。
【００２３】
図１〜図３は、本発明の実施例１に係る保持具の斜視図、図４は、図１に示す保持具の正面図、図５は、図１に示す保持具の背面図、図６は、図１に示す保持具の右側面図、図７は、図１に示す保持具の左側面図、図８は、図１に示す保持具の平面図、図９は、図１に示す保持具の底面図、図１０は、図４に示すＸ−Ｘ線に沿った断面図、図１１は、図４に示す保持具の取付部の一部を拡大して示す正面図、図１２は、図１１に示すXII−XII線に沿った断面図、図１３は、図４に示す保持具シャーシに形成された取付用の穴に挿入する状態を示す一部断面図、図１４は、図４に示す保持具をシャーシに取付けた状態を示す一部断面図、図１５は、図１３に示すシャーシの平面図である。なお、前記各図では、説明を判り易くするため、各部材の厚さやサイズ、拡大・縮小率等は、実際のものとは一致させずに記載した。
【００２４】
実施例１に係るシャーシ１００には、図１３〜図１５に示すように、後に詳述する保持具１の取付部５０が挿入される取付用の穴１０１が形成されている。この穴１０１は、シャーシ１００の表面１１１から裏面１１２に貫通された貫通穴であり、平面視で、円１０２（図１５に点線で示す）に内接する形状を有している。この穴１０１は、平面視で、円１０２の円弧を構成し且つ互いに対向配置された一対の円弧部１０３及び１０４と、円弧部１０３の一端１０３Ａと、円弧部１０４の一端１０４Ａとの間に形成された係止部１０５と、円弧部１０３の他端１０３Ｂと、円弧部１０４の他端１０４Ｂとの間に形成された係止部１０６とを有している。
【００２５】
係止部１０５及び１０６は、互いに１８０度ずれた位置に対向して配置されている。係止部１０５は、平面視で、円弧部１０３の一端１０３Ａと、円弧部１０４の一端１０４Ａを結んで形成される弦の一端１０３Ａ側を構成する領域に形成された係止面１０７Ａと、この弦の一端１０４Ａ側を構成する領域に形成された係止面１０８Ａと、係止面１０７Ａと係止面１０８Ａとの間に位置し、円１０２の中心から外側に向けて略四角形の凹状に形成された凹部１０９Ａから構成されている。この凹部１０９Ａの外側に位置する角Ａ1及びＡ2は、円１０２に各々内接している。
【００２６】
また、係止部１０６は、係止部１０５と線対称であり、係止面１０７Ａと同様の係止面１０７Ｂと、係止面１０８Ａと同様の係止面１０８Ｂと、凹部１０９Ａと同様の凹部１０９Ｂから構成されており、凹部１０９Ｂの外側に位置する角Ｂ1及びＢ2は、円１０２に各々内接している。
【００２７】
保持具１は、図示しない部品を保持する保持部１０と、保持部１０を支持すると共に、シャーシ１００に形成された穴１０１に挿入されてシャーシ１００に取付けられる取付部５０とを備えている。
【００２８】
保持部１０は、取付部５０に固定されたベース１１と、ベース１１の一端から連続的に立設された立設部１２と、立設部１２の先端に連続的に形成され且つベース１１に対向配置されたベース対向部１３と、ベース１１の他端に屈曲部１４を介して連続的に形成され且つ立設部１２に対向して立設可能となる立設対向部１５と、ベース対向部１３の先端に形成された第１の係合部１６と、立設対向部の自由端に形成され且つ第１の係合部１６と着脱可能に係合する第２の係合部１７と、を備えている。そして、この保持部１０は、屈曲部１４を支点として立設対向部１５を、ベース１１に対し約９０度の角度で屈曲させて第１の係合部１６と第２の係合部１７とを係合させた際に、保持した部品（図示せず）が貫通する貫通穴２０（図１４参照）を画定する略四角形の環状体を構成するようになっている。また、保持部１０は、第１の係合部１６と第２の係合部１７との係合を解除した際に、第１の係合部１６と第２の係合部１７との間に形成された空間から部品（図示せず）を挿脱可能となっている。
【００２９】
立設対向部１５の第２の係合部１７側端部の外面には、内側に向けて傾斜したテーパ面２２が形成されている。このテーパ面２２は、第１の係合部１６に第２の係合部１７を係合させる際に、ユーザの指を当てることができる指当て部としての役割を果たすものであり、このテーパ面２２に指を添えて力を加えることで、両者の係合及び係合解除を容易に行うことができるようになっている。また、前記ベース１１と立設部１２とにより形成される角部の外面と、立設部１２とベース対向部１３とにより形成される角部の外面には、外側に向けて突出したリブ３１及び３２が各々形成されている。これらのリブ３１及び３２により、前記角部の剛性を向上させることができるため、第１の係合部１６に第２の係合部１７を係合（ロック）する、あるいは係合を解除する際に加えられた力によって、ベース１１、立設部１２、ベース対向部１３が不用意に変形したり倒れたりすることを防止することができる。したがって、両者の係合及び係合解除を安定した状態で容易に行うことができる。
【００３０】
第１の係合部１６は、後に詳述する第２の係合部１７を抜脱可能に挿入する挿入穴１８を有し、挿入穴１８の第２の係合部１７の入り口付近には、第２の係合部１７に形成された略鉤型状のロック爪２５が係止される係止部１９（図７参照）が形成されている。この第１の係合部は、挿入穴１８に挿入された第２の係合部１７を、壁部２１と係止部１９とにより押圧し、第２の係合部１７の弾性変形を維持させると共に、ロック爪２５を係止部１９に係止させることで確実にロックする。
【００３１】
第２の係合部１７は、正面視で屈曲部２３を頂点とした略Ｖ字状を備えており、その先端には、屈曲部２３を支点として屈曲角度が小さくなる方向に第２の係合部１７を屈曲させるための操作部２４が形成されている。第２の係合部１７の、屈曲部２３と操作部２４との略中間位置には、第１の係合部１６に形成された係止部１９に係止されるロック爪２５が形成されている。そして、第２の係合部１７は、屈曲部２３を支点として弾性変形することで、第１の係合部１６に形成された挿入穴１８に挿入され、弾性復元することにより、ロック爪２５が係止部１９に係止されて第１の係合部１６にロックされる。
【００３２】
取付部５０は、保持部１０のベース１１から延出した支柱５１と、支柱５１の延出方向先端に互いに対向配置され且つ当該延出方向先端から保持部１０に向けて延出された一対の脚部５２Ａ及び５２Ｂと、を有している。
【００３３】
支柱５１の延出方向先端は、脚部５２Ａ及び５２Ｂの対向方向（図１１でいう左右方向）の肉厚が、他の部分の当該対向方向の肉厚よりも厚く形成されている。したがって、支柱５１の肉厚が均一な場合に比べ、脚部５２Ａ及び５２Ｂの延出基端を外側にずらすことができる。このため、脚部５２Ａ及び５２Ｂの延出基端が、支柱５１に近い場合に比べ、脚部５２Ａ及び５２Ｂの長さを短くしても、シャーシ１００に脚部５２Ａ及び５２Ｂを係合させることができる結果、取付部５０のシャーシ１００の裏面１１２から飛び出す部分（飛び出し量）を小さくすることができ、省スペース化を達成させることができる。
【００３４】
また、この支柱５１は、脚部５２Ａ及び５２Ｂの自由端と対向する部分の当該対向方向の肉厚が、脚部５２Ａ及び５２Ｂの延出基端側と対向する部分の当該対向方向の肉厚よりも薄く形成されている。したがって、後に詳述するが、脚部５２Ａ及び５２Ｂが支柱５１に近づく方向に弾性変形しても、脚部５２Ａ及び５２Ｂの自由端が支柱５１にぶつかることを抑制することができるため、脚部５２Ａ及び５２Ｂの弾性変形が妨げられることを防止することができる。
【００３５】
そしてまた、支柱５１は、脚部５２Ａ及び５２Ｂが形成されている位置と約９０度ずれた位置にある両端部が、図１２に示すように、脚部５２Ａ及び５２Ｂよりも外側に突出した凸部５３及び５４となっている。そして、これらの凸部５３及び５４は、シャーシ１００に形成されている穴１０１に保持具１を取付ける際に、凹部１０９Ａ及び１０９Ｂに各々挿入されるようになっている。したがって、凹部１０９Ａ及び１０９Ｂがキー溝となり、凸部５３及び５４がキーとなるため、取付部５０を穴１０１に挿入する際の位置合せを簡単に行うことができる。
【００３６】
脚部５２Ａ及び５２Ｂは、互いに支柱５１を挟んで対称な形状を有しており、支柱５１に近づく方向に弾性変形することにより、シャーシ１００に形成されている穴１０１に挿入され、弾性復元することによりシャーシ１００に係合するようになっている。脚部５２Ａ及び５２Ｂの外側は、脚部５２Ａ及び５２Ｂの延出基端から自由端に向けて斜め外方に延出している。このように、脚部５２Ａ及び５２Ｂの外側を斜め外方に延出させることで、穴１０１に取付部５０をよりスムーズに挿入させることができる。
【００３７】
また、脚部５２Ａ及び５２Ｂの各々の自由端の外周面には、穴１０１の円弧部１０３及び１０４に各々相補した形状の湾曲面５５Ａ及び５５Ｂが形成されている。即ち、湾曲面５５Ａ及び５５Ｂは、シャーシ１００に保持具１を取付けた際に、円弧部１０３及び１０４と一致して接触すると共に、前述した弾性復元力によって、円弧部１０３及び１０４を押圧するようになっている。そしてまた、脚部５２Ａ及び５２Ｂの外側であって、湾曲面５５Ａ及び５５Ｂの延出基端側には、段部６３Ａ及び６３Ｂが形成されている。これらの段部６３Ａ及び６３Ｂは、シャーシ１００に保持具１を取付けた際に、シャーシ１００の裏面１１２に当接し、シャーシ１００を支持するようになっている。
【００３８】
脚部５２Ａの外周面の周方向両端から支柱５１側に向けて連続形成された面は、シャーシ１００に保持具１を取付けた際に、穴１０１の係止面１０７Ａ及び１０７Ｂに各々当接する当接面５６及び５７となっている。また、脚部５２Ｂの外周面の周方向両端から支柱５１側に向けて連続形成された面は、シャーシ１００に保持具１を取付けた際に、穴１０１の係止面１０７Ａ及び１０７Ｂに各々当接する当接面５８及び５９となっている。当接面５６と当接面５７は互いに平行な面であり、当接面５８と当接面５９は互いに平行な面である。
【００３９】
また、脚部５２Ａ及び５２Ｂの支柱５１と対向する各々の面（支柱５１側の面）は、脚部５２Ａ及び５２Ｂの延出基端側から自由端側に向けて、支柱５１の延出方向を略平行に形成されており、支柱５１と対向する各々の面の自由端は、先端にいくにしたがって、徐々に外側に傾斜する傾斜面６１Ａ及び６１Ｂ（図１１参照）となっている。このように、脚部５２Ａ及び５２Ｂの支柱５１と対向する各々の面を略平行に形成することで、脚部５２Ａ及び５２Ｂの外側と同様に斜めに形成する場合に比べ、当接面５６〜５９の面積を大きくとることができ、係止面１０７Ａ、１０７Ｂ、１０８Ａ及び１０８との接触面積が大きくなるため、保持具１をシャーシ１００に対し、より確実に非回転で取付けることができる。
【００４０】
なお、支柱５１のベース１１側端部には、シャーシ１００に保持具１を取付けた際に、穴１０１に挿入されて穴１０１を塞ぐカバー片６２が形成されている。
【００４１】
さらに、取付部５０とベース１１との間には、シャーシ１００に保持具１を取付けた際に、シャーシ１００の表面１１１を弾性的に押圧する略弓状の弾性弓片６５及び６６が形成されている。したがって、保持具１は、シャーシ１００に取付けられた際に、弾性弓片６５及び６６と、段部６３Ａ及び６３Ｂによってシャーシ１００を挟むことで、より確実にシャーシ１００に固定される。
【００４２】
次に、実施例１にかかる保持具１をシャーシ１００に取付ける際の具体的動作について説明する。
【００４３】
シャーシ１００に保持具１を取付けるには、先ず、シャーシ１００に形成された穴１０１に、取付部５０の先端を挿入する。この時、取付部５０の凸部５３及び５４が、穴１０１の凹部１０９Ａ及び１０９Ｂに各々挿入されるようにして、取付部５０の位置合せを行う。この動作により、脚部５２Ａ及び５２Ｂの外周面が穴１０１の円弧部１０３及び１０４に各々押圧され、支柱５１に近づく方向に弾性変形しながら穴１０１を貫通する。この時、支柱５１の脚部５２Ａ及び５２Ｂの自由端と対向する部分の当該対向方向の肉厚が、脚部５２Ａ及び５２Ｂの延出基端側と対向する部分の当該対向方向の肉厚よりも薄く形成されているため、支柱５１が弾性変形した脚部５２Ａ及び５２Ｂにぶつかることがない。したがって、脚部５２Ａ及び５２Ｂの弾性変形が妨げられることがないため、取付部５０は、穴１０１をスムーズに貫通する。
【００４４】
次に、脚部５２Ａ及び５２Ｂが穴１０１を貫通すると、脚部５２Ａ及び５２Ｂは弾性復元して元の状態に戻り、弾性弓片６５及び６６が弾性的にシャーシ１００の表面１１１を押圧すると共に、段部６３Ａ及び６３Ｂがシャーシ１００の裏面１１２に当接する。同時に、湾曲面５５Ａ及び５５Ｂが円弧部１０３及び１０４を押圧すると共に、当接面５６〜５９が、係止面１０７Ａ、１０７Ｂ、１０８Ａ及び１０８Ｂに各々当接する。この当接面５６〜５９と、係止面１０７Ａ、１０７Ｂ、１０８Ａ及び１０８Ｂとの当接により、保持具１がシャーシ１００に対し回転することが阻止されて、保持具１は、シャーシ１００に対し非回転で取付けられる。この時、前述したように、当接面５６〜５９と、係止面１０７Ａ、１０７Ｂ、１０８Ａ及び１０８Ｂとの接触面積が大きくなっているため、保持具１は、シャーシ１００に対しより確実に非回転で取付けられることになる。
【００４５】
次に、保持部１０に図示しない部品を保持させるには、第１の係合部１６と第２の係合部１７とが係合している場合は、第２の係合部１７の操作部２４を、屈曲部２３を支点として屈曲角度が小さくなる方向に押し、第１の係合部１６と第２の係合部１７との係合を解除させる。この時、操作するユーザの指をテーパ面２２に添えることで、第１の係合部１６と第２の係合部１７との係合の解除をさらに安定した状態で行うことができる。また、保持部１０には、リブ３１及び３２が形成されているため、第１の係合部１６と第２の係合部１７との係合を解除させる際に、例えば、立設部１２が倒れる方向に力が加えられても、立設部１２が倒れることが防止されるため、前記係合解除を一層安定した状態で行うことができる。
【００４６】
次に、屈曲部１４を介して立設対向部１５を図１に示すように、シャーシ１００の表面１１１に対し略平行な方向（横方向）に倒し、第１の係合部１６と第２の係合部１７との間に空間を形成する。そして、この空間から保持具１で保持すべき部品（図示せず）を挿入した後、屈曲部１４を介して立設対向部１５を立設させ、第１の係合部１６の挿入穴１８に、第２の係合部１７を挿入し、第１の係合部１６と第２の係合部１７を係合させ、両者をロックさせる。この時も、係合解除の際と同様に、ユーザの指をテーパ面２２に添えることで、第１の係合部１６と第２の係合部１７との係合の解除をさらに安定した状態で行うことができると共に、立設部１２が倒れることが防止される。
【００４７】
なお、実施例１に係る保持具１は、穴１０１が内接する円１０２と同じ径を有する丸穴（図示せず）が形成されたシャーシ１００にも好適に取り付けることができる。即ち、シャーシ１００に形成された丸穴（図示せず）に取付部５０を挿入した場合、丸穴の円弧部を湾曲面５５Ａ及び５５Ｂが押圧し、弾性弓片６５及び６６が弾性的にシャーシ１００の表面１１１を押圧すると共に、段部６３Ａ及び６３Ｂがシャーシ１００の裏面１１２に当接する。この時、丸穴には、係止面１０７Ａ、１０７Ｂ、１０８Ａ及び１０８Ｂが形成されていないため、取付部５０の当接面５６〜５９は、係止されないが、凸部５３及び５４の角部が、丸穴に内接する。したがって、実施例１に係る保持具１を丸穴に挿入し、シャーシ１００に取付けても、取付部５０がシャーシ１００に対しガタツクことを防止することができる。したがって、実施例１に係る保持具１は、回転用の保持具としても好適に用いることができる。
【００４８】
また、実施例１では、脚部５２Ａ及び５２Ｂの支柱５１側の面の延出基端側を支柱５１の延出方向に対し略平行にした場合について説明したが、これに限らず、脚部５２Ａ及び５２Ｂが支柱５１に近づく方向に弾性変形した際に、脚部５２Ａ及び５２Ｂが支柱５１にぶつからなければ、脚部５２Ａ及び５２Ｂの支柱５１側の面を自由端の先端まで支柱５１の延出方向に対し略平行に形成してもよい。このようにすることで、当接面５６〜５９の面積をさらに大きくとることができる。
【００４９】
そしてまた、実施例１では、立設対向部１５をシャーシ１００の表面１１１に対し略平行な方向（横方向）に倒す場合について説明したが、これに限らず、例えば、図１６に示すように、立設対向部１５に相当する部分をシャーシ１００の表面１１１に対し略垂直な方向に起こす構成であってもよい。また、保持部１０の形状は、部品を保持可能であれば、特に限定されるものではない。
【実施例２】
【００５０】
次に、本発明の実施例２に係る保持具について図面を参照して説明する。なお、実施例２では、実施例１で説明した部材と同様の構成については、同一の符号を付し、その詳細な説明は省略する。
【００５１】
図１７〜図１９は、本発明の実施例２に係る保持具からベルトを取除いた状態の斜視図、図２０は、図１７に示す保持具の正面図、図２１は、図１７に示す保持具の背面図、図２２は、図１７に示す保持具の右側面図、図２４は、図１７に示す保持具の平面図、図２５は、図１７に示す保持具の底面図、図２６は、図２０に示すXXVI−XXVI線に沿った断面図、図２７は、図２０に示す保持具の取付部の一部を拡大して示す正面図、図２８は、図２７に示すXXVIII−XXVIII線に沿った断面図、図２９は、図２０に示す保持具をシャーシに取付けた状態を示す一部断面図、図３０は、図２０に示す保持具にベルトを取付けて、当該ベルトに電線を保持させた状態を示す一部断面図、図３０に示すXXXI−XXXI線に沿った断面図である。なお、前記各図では、説明を判り易くするため、各部材の厚さやサイズ、拡大・縮小率等は、実際のものとは一致させずに記載した。
【００５２】
実施例２に係る保持具２は、実施例１で説明したシャーシ１００に形成された穴１０１に挿入されてシャーシ１００に取付けられる。この保持具２は、部品を保持する保持部２１０と、保持部２１０を支持すると共に、シャーシ１００に形成された穴１０１に挿入されてシャーシ１００に取付けられる取付部２５０とを備えている。
【００５３】
保持部２１０は、保持具２に保持されるべき部品としての配線２００（図３０及び図３１参照）を着脱可能に保持するバンド２１１（図３０及び図３１参照）と、バンド２１１を着脱可能に固定するベース部２２０とを備えて構成されている。
【００５４】
バンド２１１は、配線２００に巻き付けることができる適度な弾性を備えた帯状を有し、その長手方向の一端には、特に図示しないが、実施例１で説明した第２の係合部１７と同様の係合部が形成されている。また、バンド２１１の表面には、第２の係合部１７の屈曲部２３の頂点に形成された図示しない係合歯に係合する図示しない係合穴が、バンド２１１の長手方向に沿って形成されている。
【００５５】
ベース部２２０は、略直方体形状を有し、実施例１で説明しただい１の係合部１６と同様の係合部１６を有し、その取付部２５０側には、バンド２１１を進退移動可能に貫通させる貫通穴２７５が形成されている。そして、図３０及び図３１に示すように、貫通穴２７５を貫通したバンド２１１によって形成される環によって配線２００を保持し、バンド２１１を図３１に示す矢印Ｘ方向に引っ張って、環の径を小さくして配線２００を拘束した後、第２の係合部１７を第１の係合部１６に係合させた際に、第２の係合部１７の屈曲部２３の頂点に形成された図示しない係合歯と、バンド２１１の表面に形成した図示しない係合穴が係合することで、バンド２１１の長さを固定することができるようになっている。
【００５６】
取付部２５０は、保持部２１０のベース部２２０から延出した支柱２５１と、支柱２５１の延出方向先端に互いに対向配置された一対の脚部２５２Ａ及び２５２Ｂと、を有している。
【００５７】
支柱２５１は、実施例１の支柱５１と同様に、延出方向先端の脚部２５２Ａ及び２５２Ｂの対向方向（図２０でいう左右方向）の肉厚が、他の部分の当該対向方向の肉厚よりも厚く形成されている。したがって、支柱２５１の肉厚が均一な場合に比べ、脚部２５２Ａ及び２５２Ｂの延出基端を外側にずらすことができるため、延出部２２３Ａ及び２２３Ｂと、肉薄部２２４Ａ及び２２４Ｂから構成される部分の長さを短くしても、シャーシ１００に脚部２５２Ａ及び２５２Ｂを係合させることができる結果、取付部２５０のシャーシ１００の裏面１１２に飛び出す部分（飛び出し量）を小さくすることができ、省スペース化を達成させることができる。
【００５８】
また、この支柱２５１は、実施例１の支柱５１と同様に、脚部２５２Ａ及び２５２Ｂが弾性変形して屈曲した際に、肉薄部２２４Ａ及び２２４Ｂと対向する部分の当該対向方向の肉厚が、他の部分の肉厚よりも薄く形成されているため、前記弾性変形により肉薄部２２４Ａ及び２２４Ｂが支柱２５１に近づいても、肉薄部２２４Ａ及び２２４Ｂが支柱２５１にぶつかることを抑制することができる。
【００５９】
そしてまた、支柱２５１は、実施例１の支柱５１と同様に、脚部２５２Ａ及び２５２Ｂが形成されている位置と約９０度ずれた位置にある両端部が、図２５に示すように、延出部２２３Ａ及び２２３Ｂよりも外側に突出した凸部２５３及び２５４となっている。そして、これらの凸部２５３及び２５４は、シャーシ１００に形成されている穴１０１に保持具２を取付ける際に、凹部１０９Ａ及び１０９Ｂに各々挿入されるようになっている。したがって、凹部１０９Ａ及び１０９Ｂがキー溝となり、凸部２５３及び２５４がキーとなるため、取付部２５０を穴１０１に挿入する際の位置合せを簡単に行うことができる。
【００６０】
脚部２５２Ａ及び２５２Ｂは、互いに支柱２５１を挟んで対称な形状を有しており、支柱２５１に近づく方向に弾性変形することにより、シャーシ１００に形成されている穴１０１に挿入され、弾性復元することによりシャーシ１００に係合するようになっている。これらの脚部２５２Ａ及び２５２Ｂは、支柱２５１の延出方向先端からベース部２２０に向けて斜め外方に延出した延出部２２３Ａ及び２２３Ｂと、延出部２２３Ａ及び２２３Ｂの先端に連続して形成され且つ延出部２２３Ａ及び２２３Ｂの先端よりも肉薄な肉薄部２２４Ａ及び２２４Ｂと、肉薄部２２４Ａ及び２２４Ｂの先端に連続して形成され且つ略直角方向に屈曲して外方に折り返した延出した折り返し部２４１Ａ及び２４１Ｂと、折り返し部２４１Ａ及び２４１Ｂの先端に連続して形成され且つベース部２２０側に向けて突出した突出部２４２Ａ及び２４２Ｂと、を備えている。
【００６１】
延出部２２３Ａ及び２２３Ｂの先端には、肉薄部２２４Ａ及び２２４Ｂとの厚さの差によって段部２６３Ａ及び２６３Ｂが形成されている。これらの段部２６３Ａ及び２６３Ｂは、実施例１で説明した段部６３Ａ及び６３Ｂと同様に、取付部２５０をシャーシ１００に取付けた際に、シャーシ１００の裏面１１２に当接可能となっている。（図２９及び図３０参照）。また、肉薄部２２４Ａ及び２２４Ｂの外面は、穴１０１の円弧部１０３及び１０４に各々相補した形状の湾曲面２５５Ａ及び２５５Ｂが形成されている。即ち、湾曲面２５５Ａ及び２５５Ｂは、シャーシ１００に保持具１を取付けた際に、円弧部１０３及び１０４と一致して接触すると共に、前述した弾性復元力によって、円弧部１０３及び１０４を押圧するようになっている。
【００６２】
脚部２５２Ａの外周面の周方向両端から支柱２５１側に向けて連続形成された面は、実施例１の当接面５６及び５７と同様に、シャーシ１００に保持具２を取付けた際に、穴１０１の係止面１０７Ａ及び１０７Ｂに各々当接する当接面２５６及び２５７となっている。また、脚部２５２Ｂの外周面の周方向両端から支柱２５１側に向けて連続形成された面は、実施例１の当接面５６及び５７と同様に、シャーシ１００に保持具２を取付けた際に、穴１０１の係止面１０７Ａ及び１０７Ｂに各々当接する当接面２５８及び２５９となっている。そして、当接面２５６と当接面２５７は互いに平行な面であり、当接面２５８と当接面２５９は互いに平行な面である。
【００６３】
折り返し部２４１Ａ及び２４１Ｂは、図２５に示すように、底面から見て互いに反対の向きとなるように配設されている。折り返し部２４１Ａ及び２４１Ｂと、突出部２４２Ａ及び２４２Ｂは、図２９及び図３０に示すように、保持具２をシャーシ１００に取付けた際に、シャーシ１００の表面１１１に上に配置され、シャーシ１００の表面１１１に当接して表面１１１を押圧可能となっている。そして、使用者が指等で突出部２４２Ａ及び２４２Ｂを摘んで支柱２５１に向けて押圧することで、延出部２２３Ａ及び２２３Ｂの延出基端が内側に屈曲して、延出部２２３Ａ及び２２３Ｂを互いに近づく方向に移動させ、延出部２２３Ａ及び２２３Ｂと肉薄部２２４Ａ及び２２４Ｂとからなる部分が縮小変形することになる。
【００６４】
ベース部２２０には、シャーシ１００に保持具２を取付けた際に、シャーシ１００の表面１１１を弾性的に押圧する略弓状の弾性弓片２６５及び２６６が形成されている。これらの弾性弓片２６５及び２６６は、実施例１の弾性弓片６５及び６６と同様の役割を果たすものであり、図２４及び図２５に示すように、互いにオフセットされた位置に配設されており、保持具２がシャーシ１００に取付けられた際に、脚部２５２Ａ及び２５２Ｂと干渉し合うことがないようになっている。
【００６５】
次に、実施例２にかかる保持具２をシャーシ１００に取付ける際の具体的動作について説明する。
【００６６】
シャーシ１００に保持具２を取付けるには、先ず、シャーシ１００に形成された穴１０１に、取付部２５０の先端を挿入する。この時、ユーザが指で突出部２４２Ａ及び２４２Ｂを互いに近づく方向に押し、延出部２２３Ａ及び２２３Ｂと肉薄部２２４Ａ及び２２４Ｂとからなる部分が縮小変形させることで、この部分を穴１０１に簡単に挿入させることができる。なお、支柱２５１の肉薄部２２４Ａ及び２２４Ｂと対向する部分の当該対向方向の肉厚が、他の部分よりも薄く形成されているため、支柱２５１が弾性変形した肉薄部２２４Ａ及び２２４Ｂにぶつかることがなく、取付部２５０は穴１０１をスムーズに貫通される。また、取付部２５０の凸部２５３及び２５４が穴１０１の凹部１０９Ａ及び１０９Ｂに各々挿入されるようにして、取付部２５０の位置合せを行う。
【００６７】
この動作により、図２９及び図３０に示すように、延出部２２３Ａ及び２２３Ｂが穴１０１を貫通して裏面１１２から突出し、弾性復元して元の状態に戻ろうとするため、穴１０１内に位置している肉薄部２２４Ａ及び２２４Ｂも外側に拡張する方向に戻ろうとし、湾曲面２５５Ａ及び２５５Ｂが円弧部１０３及び１０４を押圧する。また、弾性弓片２６５及び２６６が弾性的にシャーシ１００の表面１１１を押圧すると共に、段部２６３Ａ及び２６３Ｂがシャーシ１００の裏面１１２に当接する。また同時に、当接面２５６〜２５９が、係止面１０７Ａ、１０７Ｂ、１０８Ａ及び１０８Ｂに各々当接する。この当接面２５６〜２５９と、係止面１０７Ａ、１０７Ｂ、１０８Ａ及び１０８Ｂとの当接により、保持具２がシャーシ１００に対し回転することが阻止されて、保持具２は、シャーシ１００に対し非回転で取付けられる。
【００６８】
次に、シャーシ１００に取付けられた保持具２のバンド２１１に、１本、または複数の配線２００を保持させるには、先ず、ベース部２２０に開口された貫通穴２７５に、バンド２１１の先端を差し込んで、図３０及び３１に示すように、貫通穴２７５にバンド２１１を貫通させ、このバンド２１１上に保持すべき配線２００を載置して、第１の係合部１６に第２の係合部１７を係合させた後、バンド２１１を図３１に示す矢印Ｘ方向に引っ張り、バンド２１１によって形成された環の径を小さくして配線２００を拘束すればよい。一方、バンド２１１による配線２００の保持を解除する場合は、第１の係合部１６と第２の係合部１７との係合を解除すればよい。
【００６９】
なお、実施例２に係る保持具２は、実施例１に係る保持具１と同様に、穴１０１が内接する円１０２と同じ径を有する丸穴（図示せず）が形成されたシャーシ１００にも好適に取り付けることができる。即ち、シャーシ１００に形成された丸穴（図示せず）に取付部２５０を挿入した場合、丸穴の円弧部を湾曲面２５５Ａ及び２５５Ｂが押圧し、弾性弓片２６５及び２６６が弾性的にシャーシ１００の表面１１１を押圧すると共に、段部２６３Ａ及び２６３Ｂがシャーシ１００の裏面１１２に当接する。この時、丸穴には、係止面１０７Ａ、１０７Ｂ、１０８Ａ及び１０８Ｂが形成されていないため、取付部２５０の当接面２５６〜２５９は、係止されないが、凸部２５３及び２５４の角部が、丸穴に内接する。したがって、保持具２を丸穴に挿入し、シャーシ１００に取付けても、取付部２５０がシャーシ１００に対しガタツクことを防止することができ、保持具２は、回転用の保持具としても好適に用いることができる。
【００７０】
また、シャーシ１００から保持具２を取外す際は、ユーザが指で突出部２４２Ａ及び２４２Ｂを互いに近づく方向に押し、延出部２２３Ａ及び２２３Ｂと肉薄部２２４Ａ及び２２４Ｂとからなる部分が縮小変形させることで、穴１０１から取付部２５０を簡単に取外すことができる。
【００７１】
なお、実施例１及び２では、シャーシ１００に形成される非回転用の穴１０１として、凹部１０９Ａ及び１０９Ｂを形成した場合について説明したが、これに限らず、例えば、凹部１０９Ａ及び１０９Ｂを形成せず、平面視で、円弧部１０３の一端１０３Ａと、円弧部１０４の一端１０４Ａを結ぶ弦を構成する面、及び円弧部１０３の他端１０３Ｂと、円弧部１０４の他端１０４Ｂを結ぶ弦を構成する面を各々係止面としてもよい。この場合、支柱５１（２５１）に、凸部５３及び５４（２５３及び２５４）を形成せずに、この部分は、当接面５６及び５８と面一及び当接面５７及び５９と面一に構成してもよい。
【符号の説明】
【００７２】
１、２…保持具、  １０、２１０…保持部、  １６…第１の係合部、  １７…第２の係合部、  ２２…テーパ面、  ３１、３２…リブ、  ５０、２５０…取付部、  ５１、２５１…支柱、  ５２Ａ、５２Ｂ、２５２Ａ、２５２Ｂ…脚部、  ５３，５４…凸部、  ５５Ａ、５５Ｂ、２５５Ａ、２５５Ｂ…湾曲面、  ５６〜５９、２５６〜２５９…当接面、  ６３Ａ、６３Ｂ、２６３Ａ、２６３Ｂ…段部、  １００…シャーシ、  １０１…穴、  １０２…円、  １０３、１０４…円弧部、  １０５、１０６…係止部、  １０７Ａ、１０７Ｂ、１０８Ａ、１０８Ｂ…係止面、  １０９Ａ、１０９Ｂ…凹部
【図１】
2010209997.tif 000003
【図２】
2010209997.tif 000004
【図３】
2010209997.tif 000005
【図４】
2010209997.tif 000006
【図５】
2010209997.tif 000007
【図６】
2010209997.tif 000008
【図７】
2010209997.tif 000009
【図８】
2010209997.tif 000010
【図９】
2010209997.tif 000011
【図１０】
2010209997.tif 000012
【図１１】
2010209997.tif 000013
【図１２】
2010209997.tif 000014
【図１３】
2010209997.tif 000015
【図１４】
2010209997.tif 000016
【図１５】
2010209997.tif 000017
【図１６】
2010209997.tif 000018
【図１７】
2010209997.tif 000019
【図１８】
2010209997.tif 000020
【図１９】
2010209997.tif 000021
【図２０】
2010209997.tif 000022
【図２１】
2010209997.tif 000023
【図２２】
2010209997.tif 000024
【図２３】
2010209997.tif 000025
【図２４】
2010209997.tif 000026
【図２５】
2010209997.tif 000027
【図２６】
2010209997.tif 000028
【図２７】
2010209997.tif 000029
【図２８】
2010209997.tif 000030
【図２９】
2010209997.tif 000031
【図３０】
2010209997.tif 000032
【図３１】
2010209997.tif 000033